【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
液晶媒体であって、
−２５以上の誘電異方性Δεを有する１種または２種以上の化合物を含む成分（α）を３０重量％以上（該組成物の全重量に基づき）含み、ここで前記化合物の２５重量％以上（該組成物の全重量に基づき）は、４０以上の誘電異方性Δεを有し；および、
−０．５１ｍＰａ・ｓ／Ｋ以下のγ１／ＴＮＩＫ比、１００℃以上の透明点ＴＮＩ、および１９０ｍＰａ・ｓ以下の回転粘性γ１（ここでγ１は、２０℃におけるｍＰａ・ｓで表した回転粘性、およびＴＮＩＫはケルビンで表した透明点）をそれぞれが有する１種または２種以上の化合物を含む成分（δ）を含む；
前記液晶媒体。
【請求項２】
−成分（δ）が、少なくとも１種の式Ｉ：
【化１】
2006509853.tif 000001
式中、
Ｒ１１およびＲ１２は、互いに独立してＣ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
【化２】
2006509853.tif 000002
であり、式中、
Ｌ１１およびＬ１２は、互いに独立してＨまたはＦであり；および、
【化３】
2006509853.tif 000003
であり、式中、
Ｌ１３およびＬ１４は、互いに独立してＨまたはＦである；
で表される化合物を含み、そして、
−成分（α）が、少なくとも１種の式ＩＩ：
【化４】
2006509853.tif 000004
式中、
ａおよびｂは、互いに独立して０、１、２、３または４であり；
Ｒ２１は、Ｃ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｚ２１は、単結合または−Ｃ≡Ｃ−である；
で表される化合物を含む、請求項１に記載の液晶媒体。
【請求項３】
−成分（δ）が、少なくとも１種の式Ｉ：
【化５】
2006509853.tif 000005
式中、
Ｒ１１およびＲ１２は、互いに独立してＣ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
【化６】
2006509853.tif 000006
であり、式中、
Ｌ１１およびＬ１２は、互いに独立してＨまたはＦであり；および、
【化７】
2006509853.tif 000007
であり、式中、
Ｌ１３およびＬ１４は、互いに独立してＨまたはＦである；
で表される化合物を含み、そして、
−成分（α）が、少なくとも１種の式ＩＩＩ：
【化８】
2006509853.tif 000008
式中、
ｃおよびｄは、互いに独立して０、１、２、３または４であり；
Ｒ３１は、Ｃ２〜Ｃ１５アルケニルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｚ３１は、単結合または−Ｃ≡Ｃ−である；
で表される化合物を含む、請求項１に記載の液晶媒体。
【請求項４】
成分（α）がさらに、少なくとも１種の式ＩＶ： 
【化９】
2006509853.tif 000009
式中、
ｅおよびｆは、互いに独立して０、１、２、３または４であり；
Ｒ４１は、Ｃ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−Ｃ≡Ｃ−、−ＣＯ−Ｏ−、−ＯＣ−Ｏ−によって、互いに隣接するヘテロ原子が存在しないように置き換えられてもよく；
Ｚ４１は、単結合または−Ｃ≡Ｃ−である；
で表される化合物を含む、請求項２または３に記載の液晶媒体。
【請求項５】
式Ｉにおいて、
Ｒ１１は、Ｃ２〜Ｃ１５アルケニルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
【化１０】
2006509853.tif 000010
請求項２〜４のいずれかに記載の液晶媒体。
【請求項６】
液晶組成物が成分（α）を５０重量％以上（該組成物の全重量に基づき）含む、請求項１〜５のいずれかに記載の液晶媒体。
【請求項７】
液晶組成物が成分（α）を５０重量％以上（該組成物の全重量に基づき）含み、ここで当該化合物の３０重量％以上（該組成物の全重量に基づき）が４０以上の誘電異方性Δεを有する、請求項１〜６のいずれかに記載の液晶媒体。
【請求項８】
液晶組成物が成分（δ）を５重量％以上（該組成物の全重量に基づき）含む、請求項１〜７のいずれかに記載の液晶媒体。
【請求項９】
双安定型液晶デバイスであって、
−フレームと共にセルを形成する、２つの外部基板；
−該セル内に存在する、液晶組成物；
−前記外部基板の内側の、配向層を有する電極構造であって、少なくとも１つの配向層は、前記液晶組成物の化合物が少なくとも２つの異なる安定状態に適合することを可能とする配向格子を含み、それによって、前記配向層を有する前記電極構造のアセンブリが、前記少なくとも２つの異なる安定状態の間のスイッチングを、好適な電気信号を前記電極構造に適用することによって達成する、前記電極構造；
を含み、
−ここで前記液晶組成物は、
−２５以上の誘電異方性Δεを有する１種または２種以上の化合物を含む成分（α）を３０重量％以上（該組成物の全重量に基づき）含み、ここで前記化合物の２５重量％以上（該組成物の全重量に基づき）は、４０以上の誘電異方性Δεを有し；および、
−０．５１ｍＰａ・ｓ／Ｋ以下のγ１／ＴＮＩＫ比、１００℃以上の透明点ＴＮＩ、および１９０ｍＰａ・ｓ以下の回転粘性γ１（ここでγ１は、２０℃におけるｍＰａ・ｓで表した回転粘性、およびＴＮＩＫはケルビンで表した透明点）を有する１種または２種以上の化合物を含む成分（δ）を含む；
前記双安定型液晶デバイス。
【請求項１０】
双安定型液晶デバイスであって、
−前記デバイスは、ゼナサル双安定型ネマチック液晶デバイスであり；そして
−外部基板の内側の配向層を有する電極構造が少なくとも１つの配向層を有し、該配向層は、前記液晶組成物の化合物が、同じ方位角面内で異なるプレチルト角を有する少なくとも２つの異なる安定状態に適合することを可能とする配向格子を含む、
請求項９に記載の前記双安定型液晶デバイス。
【請求項１１】
双安定型液晶デバイスであって、成分（δ）が、少なくとも１種の式Ｉ：
【化１１】
2006509853.tif 000011
式中、
Ｒ１１およびＲ１２は、互いに独立してＣ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
【化１２】
2006509853.tif 000012
であり、式中、
Ｌ１１およびＬ１２は、互いに独立してＨまたはＦであり；および、
【化１３】
2006509853.tif 000013
であり、式中、
Ｌ１３およびＬ１４は、互いに独立してＨまたはＦである；
で表される化合物を含む、請求項９または１０に記載の前記双安定型液晶デバイス。
【請求項１２】
成分（α）が、少なくとも１種の式ＩＩの化合物および／または少なくとも１種の式ＩＩＩの化合物：
【化１４】
2006509853.tif 000014
式中、
ａ、ｂ、ｃおよびｄは、互いに独立して０、１、２、３または４であり；
Ｒ２１は、Ｃ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｒ３１は、Ｃ２〜Ｃ１５アルケニルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｚ２１およびＺ３１は、互いに独立して単結合または−Ｃ≡Ｃ−である；
で表される化合物を含む、請求項９または１１に記載のゼナサル双安定型ネマチック液晶デバイス。
【請求項１３】
成分（α）が、少なくとも１種の式ＩＶ： 
【化１５】
2006509853.tif 000015
式中、
ｅおよびｆは、互いに独立して０、１、２、３または４であり；
Ｒ４１は、Ｃ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−Ｃ≡Ｃ−、−ＣＯ−Ｏ−、−ＯＣ−Ｏ−によって、互いに隣接するヘテロ原子が存在しないように置き換えられてもよく；
Ｚ４１は、単結合または−Ｃ≡Ｃ−である；
で表される化合物を含む、請求項１２に記載のゼナサル双安定型ネマチック液晶デバイス。
【請求項１４】
液晶組成物がさらに、式Ｖ、ＶＩ，ＶＩＩ、ＶＩＩＩおよびＩＸ：
【化１６】
2006509853.tif 000016
式中、
ｇは、０または１であり；
Ｒ５１、Ｒ５２、Ｒ６１、Ｒ６２、Ｒ７１、Ｒ７２、Ｒ８１、Ｒ８２、Ｒ９１およびＲ９２は、互いに独立してＣ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｌ５１は、ＨまたはＦであり；
Ｚ６１は、−ＣＯ−Ｏ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ２ＣＦ２−、−ＣＦ２ＣＨ２−、−ＣＨ＝ＣＨ−または−Ｃ≡Ｃ−であり；
【化１７】
2006509853.tif 000017
は、互いに独立して、
【化１８】
2006509853.tif 000018
であり；
【化１９】
2006509853.tif 000019
式中、
Ｌ５２およびＬ５３は、互いに独立してＨまたはＦである；
で表される化合物からなる群から選択される少なくとも１種の化合物を含む成分（β）を、５重量％以上（前記組成物の全重量に基づき）含む、請求項１１〜１３のいずれかに記載のゼナサル双安定型ネマチック液晶デバイス。
【請求項１５】
液晶組成物がさらに、０．２０以上の光学的異方性Δｎを有する１種または２種以上の化合物を含む成分（γ）を、３重量％以上（該組成物の全重量に基づき）含む、請求項９〜１４のいずれかに記載のゼナサル双安定型ネマチック液晶デバイス。
【請求項１６】
成分（γ）が、式Ｘ： 
【化２０】
2006509853.tif 000020
式中、
ｋは、０、１または２であり；
Ｒ１０１およびＲ１０２は、互いに独立してＣ１〜Ｃ１５アルキルであって、それは無置換かまたはＣＮもしくはハロゲンによって一置換もしくは多置換されており、ここで１個または２個以上のＣＨ２基は、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；および
【化２１】
2006509853.tif 000021
である；
で表される少なくとも１種の化合物を含む、請求項１５に記載のゼナサル双安定型ネマチック液晶デバイス。
【請求項１７】
液晶組成物がさらに、少なくとも１種の式ＸＩの化合物および／または少なくとも１種の式ＸＩＩの化合物および／または少なくとも１種の式ＸＩＩＩの化合物および／または少なくとも１種の式ＸＩＶの化合物：
【化２２】
2006509853.tif 000022
式中、
Ｒ１１１およびＲ１４２は、互いに独立してＣ２〜Ｃ１５アルケニルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｒ１２１、Ｒ１３１、Ｒ１３２およびＲ１４１は、互いに独立してＣ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｒ１２２は、Ｃ１〜Ｃ１５アルキルであって、それは無置換かまたはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｙ１１１は、ＦまたはＣｌであり；
Ｌ１１１およびＬ１１２は、互いに独立してＨまたはＦであり；および
【化２３】
2006509853.tif 000023
は互いに独立して、
【化２４】
2006509853.tif 000024
である；
で表される化合物を含む、請求項１１〜１６のいずれかに記載のゼナサル双安定型ネマチック液晶デバイス。
【請求項１８】
液晶組成物が、少なくとも１種の、式ＸＶＩおよび／または式ＸＶＩＩおよび／または式ＸＶＩＩＩおよび／または式ＸＩＸおよび／または式ＸＸおよび／または式ＸＸＩおよび／または式ＸＸＩＩ：
【化２５】
2006509853.tif 000025
【化２６】
2006509853.tif 000026
式中、
Ｒ１６１、Ｒ１７１、Ｒ１８１、Ｒ１８２、Ｒ２０１、Ｒ２１１およびＲ２２１は、互いに独立してＣ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−ＣＨ＝ＣＨ−、−Ｃ≡Ｃ−、−ＣＯ−Ｏ−、−ＯＣ−Ｏ−によって、互いに隣接するヘテロ原子が存在しないように置き換えられてもよく；
Ｒ１９１は、Ｃ１〜Ｃ１５アルキルであって、それは無置換かまたはＣＮもしくはハロゲンによって一置換もしくは多置換されており、ここで１個または２個以上のＣＨ２基は互いに独立して、−Ｏ−、−Ｓ−、−Ｃ≡Ｃ−、−ＣＯ−Ｏ−、−ＯＣ−Ｏ−によって、互いに隣接するヘテロ原子が存在しないように置き換えられてもよく；
Ｙ１６１、Ｙ１７１、Ｙ１９１、Ｙ２０１、Ｙ２１１およびＹ２２１は、互いに独立して、Ｆ、Ｃｌ、ハロゲンによって一置換もしくは多置換されたＣ１〜Ｃ１５アルカニルまたはＣ２〜Ｃ１５アルケニル、、またはハロゲンによって一置換もしくは多置換されたＣ１〜Ｃ１５アルコキシであり；
Ｌ１６１、Ｌ１７１、Ｌ１９１、Ｌ１９２、Ｌ２０１、Ｌ２０２、Ｌ２０３、Ｌ２０４、Ｌ２１１、Ｌ２１２、Ｌ２１３、Ｌ２１４、Ｌ２１５、Ｌ２１６、Ｌ２２１、Ｌ２２２、Ｌ２２３およびＬ２２４は、互いに独立してＨまたはＦであり；および
Ｚ１６１は、−ＣＯ−Ｏ−、ＣＨ２ＯまたはＣＦ２Ｏである； 
で表される化合物を含む、請求項９〜１７のいずれかに記載の双安定型液晶デバイス。